(57)【要約】【課題】フロント側ボルト挿通孔が便鉢に近接している洋風便器においてもタンクカバーユニットを洋風便器にしっかりと固定することができるタンクカバーユニットの設置構造を提供する。【解決手段】洋風便器４０のフロント側ボルト挿通孔４６に上方から固定用部材７８を差し込んで洋風便器４０の後部上面のフロント側にベースプレート取付部材７４を固定設置する。タンクカバーユニット５０のベースプレート５２のリヤ側は、ボルト６６をリヤ側ボルト挿通孔４４に挿通することにより洋風便器４０の後部上面に固定される。ベースプレート５２のフロント側は、突起差込口８２にベースプレート取付部材７４の突起８０が差し込まれ、該突起８０に係止部材７０が係合することによりベースプレート取付部材７４に係着される。【選択図】  図２
2004332451.tif 000002
【特許請求の範囲】
【請求項１】
ロータンクを内蔵したタンクカバーユニットが洋風便器の後部上面に設置された構造であって、
該タンクカバーユニットは、ベースプレートとタンクカバーとによって底面と側面とが構成されており、
該洋風便器の後部には、後端近傍の左右両側にリヤ側ボルト挿通孔が上下方向に貫設され、便鉢近傍の左右両側にフロント側ボルト挿通孔が上下方向に貫設されており、
該ベースプレートの後端近傍の左右両側からそれぞれ下方にリヤ側ボルトが突設され、
該リヤ側ボルトが該リヤ側ボルト挿通孔に挿通され、下方からナット締めされているタンクカバーユニットの設置構造において、
該洋風便器後部上面のフロント側にベースプレート取付部材が固定設置され、該ベースプレート取付部材に対し該タンクカバーユニットのフロント側が固定されている構造であって、
該ベースプレート取付部材は、該フロント側ボルト挿通孔に挿通されたロッド状の固定用部材によって洋風便器に固定されていることを特徴とするタンクカバーユニットの設置構造。
【請求項２】
請求項１において、該ベースプレート取付部材は、該洋風便器後部上面のフロント側に重なる基板と、
該基板から下方に突設された前記ロッド状の固定用部材と、
該基板から上方に突設された突起と
を備えてなり、
該突起と前記ベースプレートのフロント側とが係着されていることを特徴とするタンクカバーユニットの設置構造。
【請求項３】
請求項２において、該突起は、該ベースプレートのフロント側に設けられた孔を貫通してベースプレートの上面側に突出し、この突起に対し係止部材が係合することにより該突起が該孔に対し不抜となっていることを特徴とするタンクカバーユニットの設置構造。
【請求項４】
請求項３において、
前記リヤ側ボルトは、前記ベースプレートのリヤ側を貫通し、且つ該ベースプレートに対し回動可能になっており、
該リヤ側ボルトの上端からフロント側に向って該係止部材が延出しており、
該リヤ側ボルトが回動することにより該係止部材が旋回回動し、該係止部材の先端側が該突起に係合していることを特徴とするタンクカバーユニットの設置構造。
【請求項５】
請求項４において、該突起の上端部の側面に凹所が設けられ、該凹所に対し該係止部材の先端側が係合していることを特徴とするタンクカバーユニットの設置構造。
【請求項６】
請求項４又は５において、前記リヤ側ボルトに対し前記ナットが締めこまれた際に該ナットとボルトとが共回りすることにより該係止部材が旋回回動することを特徴とするタンクカバーユニットの設置構造。
【請求項７】
請求項１ないし６のいずれか１項において、前記フロント側ボルト挿通孔に挿通された前記ロッド状固定用部材は、
該フロント側ボルト挿通孔に対し上方から差し込まれ、下部が該フロント側ボルト挿通孔から下方に突出している筒体と、
該筒体の下端からスリ割りを延設することにより形成された複数の舌片と、
該筒体の少なくとも下部に該筒体と同軸に配置され、該筒体に対し回転可能に且つ軸心線方向移動不能に保持された螺進用ボルトと、
該螺進用ボルトに螺合しており、該螺進用ボルトの回転に伴って上方に螺進して該舌片を押し開く楔体と
を備えてなることを特徴とするタンクカバーユニットの設置構造。
【発明の詳細な説明】
【０００１】
【発明の属する技術分野】
本発明は、洋風便器の後部上面にタンクカバーユニットを設置した構造に関するものであり、詳しくは、タンクカバーユニットのフロント側を洋風便器にボルトによって直留めすることができない場合に採用されるタンクカバーユニットの設置構造に関するものである。
【０００２】
【従来の技術】
市販されている洋風便器におけるタンクカバーユニットの設置構造の一例について図８を参照して説明する。
【０００３】
洋風便器１０は、その前側に便鉢１２を有しており、この便鉢１２の後方の上面にタンクカバーユニット２０が設置される。この洋風便器１０の後縁近傍の左右には、リヤ側ボルト挿通孔１４，１４が設けられ、便鉢１２の近くには、左側及び右側にそれぞれフロント側ボルト挿通孔１６，１６が設けられている。なお、洋風便器１０の後部には、ロータンクからの給水を受け入れる給水受入口１８が設けられている。
【０００４】
タンクカバーユニット２０は、底面を構成するベースプレート２２と、４側面及び上面を構成するタンクカバー２４とによって外殻が構成されている。なお、タンクカバーが４側面のみを囲み、上部には手洗鉢が装着されることもある。タンクカバー２４の前縁下部には便座２６及び便蓋２８が上下方向回動可能に取り付けられている。タンクカバーユニット２０内には、ロータンクのほか、人体臀部を温水で洗浄する温水洗浄装置、便鉢からの脱臭ファンなどの各種機器が設置されている。
【０００５】
このロータンクの底部の流出口（フロート弁流出口）３０は、パッキン３２を介して給水受入口１８に接続される。
【０００６】
このタンクカバーユニット２０を洋風便器１０に固定するために、ベースプレート２２のリヤ側の左右からそれぞれボルト３４，３４が下方に突設され、フロント側の左右からそれぞれボルト３６，３６が下方に突設されている。リヤ側のボルト３４，３４は前記リヤ側ボルト挿通孔１４に挿通され、フロント側のボルト３６は前記フロント側ボルト挿通孔１６に挿通される。各ボルト３４，３６は各ボルト挿通孔１４，１６の下方に突出し、ナット３８が締め込まれることにより、タンクカバーユニット２０が洋風便器１０に固定される。
【０００７】
【発明が解決しようとする課題】
図９の洋風便器１０Ａのように、後部上面の前後寸法Ｌ（後端から便鉢１２までの距離）が図８よりも小さく、フロント側ボルト挿通孔１６が便鉢１２に近接しているタイプの洋風便器も市販されている。このような場合、便鉢外面の膨らみ出し部１２ａが邪魔になり、フロント側ボルト挿通孔１６に挿通されたボルト３６に対しナット３８を強く締め込むことができないことがある。
【０００８】
本発明は、このようにフロント側ボルト挿通孔が便鉢に近接している洋風便器においてもタンクカバーユニットを洋風便器にしっかりと固定することができるタンクカバーユニットの設置構造を提供することを目的とする。
【０００９】
【課題を解決するための手段】
本発明のタンクカバーユニットの設置構造は、ロータンクを内蔵したタンクカバーユニットが洋風便器の後部上面に設置された構造であって、該タンクカバーユニットは、ベースプレートとタンクカバーとによって底面と側面とが構成されており、該洋風便器の後部には、後端近傍の左右両側にリヤ側ボルト挿通孔が上下方向に貫設され、便鉢近傍の左右両側にフロント側ボルト挿通孔が上下方向に貫設されており、該ベースプレートの後端近傍の左右両側からそれぞれ下方にリヤ側ボルトが突設され、該リヤ側ボルトが該リヤ側ボルト挿通孔に挿通され、下方からナット締めされているタンクカバーユニットの設置構造において、該洋風便器後部上面のフロント側にベースプレート取付部材が固定設置され、該ベースプレート取付部材に対し該タンクカバーユニットのフロント側が固定されている構造であって、該ベースプレート取付部材は、該フロント側ボルト挿通孔に挿通されたロッド状の固定用部材によって洋風便器に固定されていることを特徴とする。
【００１０】
かかる本発明のタンクカバーユニットの設置構造にあっては、フロント側ボルト挿通孔にロッド状固定用部材を挿通させ、該ロッド状固定用部材によってベースプレート取付部材を洋風便器後部上面のフロント側に固定している。このベースプレート取付部材に対しタンクカバーユニットのフロント側を固定する。タンクカバーユニットのリヤ側は従来と同様にボルト及びナットにより洋風便器に固定する。
【００１１】
このように、本発明によると、洋風便器に固定されたベースプレート取付部材を介してタンクカバーユニットの前部側も洋風便器にしっかりと固定される。
【００１２】
本発明では、ベースプレート取付部材は、洋風便器後部上面のフロント側に重なる基板と、該基板から下方に突設されたロッド状の固定用部材と、該基板から上方に突設された突起とを備えてなり、該突起とベースプレートのフロント側とが係着されていることが好ましい。
【００１３】
この突起は、ベースプレートのフロント側に設けられた孔を貫通してベースプレートの上面側に突出し、この突起に対し係止部材が係合することにより該突起が該孔に対し不抜となっていることが好ましい。
【００１４】
このリヤ側ボルトは、ベースプレートのリヤ側を貫通し、且つ該ベースプレートに対し回動可能になっており、該リヤ側ボルトの上端からフロント側に向って該係止部材が延出しており、該リヤ側ボルトが回動することにより該係止部材が旋回回動し、該係止部材の先端側が該突起に係合していることが好ましい。
【００１５】
この突起の上端部の側面に凹所が設けられ、該凹所に対し係止部材の先端側が係合しているが好ましい。
【００１６】
このリヤ側ボルトに対しナットが締めこまれた際に該ナットとボルトとが共回りすることにより係止部材が旋回回動することが好ましい。
【００１７】
本発明では、フロント側ボルト挿通孔に挿通されたロッド状固定用部材は、該フロント側ボルト挿通孔に対し上方から差し込まれ、下部が該フロント側ボルト挿通孔から下方に突出している筒体と、該筒体の下端からスリ割りを延設することにより形成された複数の舌片と、該筒体の少なくとも下部に該筒体と同軸に配置され、該筒体に対し回転可能に且つ軸心線方向移動不能に保持された螺進用ボルトと、該螺進用ボルトに螺合しており、該螺進用ボルトの回転に伴って上方に螺進して該舌片を押し開く楔体とを備えてなることが好ましい。
【００１８】
【発明の実施の形態】
以下、図面を参照して本発明の実施の形態について説明する。
【００１９】
図１は本発明の実施の形態に係るタンクカバーユニットの設置構造の分解斜視図、図２はベースプレート部分の斜視図、図３は図２のＩＩＩ−ＩＩＩ線断面図、図４はベースプレート取付部材の斜視図、図５はこのベースプレート取付部材の側面図、図６は図５のＶＩ−ＶＩ線断面図、図７はロッド状固定用部材の分解斜視図である。
【００２０】
図１の通り、陶器製の洋風便器４０は、その前側に便鉢４２を有しており、この便鉢４２の後方の便器上面にタンクカバーユニット５０が設置される。この洋風便器４０後部上面の後縁近傍には、左右にそれぞれリヤ側ボルト挿通孔４４，４４が設けられ、便鉢４２の近くには、左右にそれぞれフロント側ボルト挿通孔４６，４６が設けられている。各ボルト挿通孔４４，４６は、洋風便器４０を上下方向に貫通している。なお、洋風便器４０の該後部上面には、ロータンク（図１において、底部の流出口６０のみ図示。）からの給水を受け入れる給水受入口４８が設けられている。
【００２１】
この洋風便器４０は、前述の図９の洋風便器１０Ａと同様、その後端から便鉢４２までの距離が図８の洋風便器１０よりも小さく、フロント側ボルト挿通孔４６が便鉢４２に近接しているタイプのものである。
【００２２】
タンクカバーユニット５０は、底面を構成するベースプレート５２と、４側面及び上面を構成するタンクカバー５４とによって外殻が形成されている。ただし、このタンクカバー５４は、４側面のみを構成するものとされ、その上部に手洗鉢が装着されてもよい。タンクカバー５４の前縁下部には便座５６及び便蓋５８が上下方向回動可能に取り付けられている。図示はしないが、このタンクカバーユニット５０内には、ロータンクのほか、人体臀部を温水で洗浄する温水洗浄装置、便鉢４２からの脱臭ファンなどの各種機器が設置されている。
【００２３】
該ロータンク底部の流出口（フロート弁流出口）６０は、ベースプレート５２に設けられた開口６２（図２）からタンクカバーユニット５０の下方に延出している。この流出口６０は、パッキン６４を介して前記給水受入口４８に接続される。
【００２４】
ベースプレート５２の後端近傍の左右両側からは、それぞれ下方に向ってボルト６６，６６が突設されている。図３の符号６８は、各ボルト６６の上端側を保持したボス部を示している。このボス部６８には、ベースプレート５２を貫通したボルト保持孔（符号略）が設けられており、各ボルト６６の上端側がこのボルト保持孔内に回動可能に挿通され、このボルト保持孔からベースプレート５２の上面側に突出している。
【００２５】
各ボルト６６の上端には、後述のベースプレート取付部材７４の突起８０と係合する係止部材７０が固着されている。この係止部材７０は、該ボルト６６の上端からベースプレート５２の上面に沿ってフロント側に延在しており、その先端側には、後述の突起８０の小径部８０ａが係合する切欠き状の係合部７０ａが形成されている。
【００２６】
ボルト６６にナット７２が締め込まれた際に該ボルト６６が該ナット７２と共回りすることにより係止部材７０が旋回回動したときに、該係合部７０ａが突起８０の小径部８０ａを咥え込むようにして該突起８０と係合する。
【００２７】
該ボルト６６，６６は、それぞれ洋風便器４０の上方からリヤ側ボルト挿通孔４４，４４に挿通される。そして、該リヤ側ボルト挿通孔４４，４４の下方に延出した該ボルト６６，６６の下端側にそれぞれナット７２，７２が締め込まれることにより、ベースプレート５２のリヤ側が洋風便器４０の後部上面に固定される。
【００２８】
洋風便器４０の後部上面のフロント側には、ベースプレート５２のフロント側を固定するためのベースプレート取付部材７４が固定設置されている。このベースプレート取付部材７４は、該洋風便器４０の後部上面に重なった基板７６と、該基板７６の左右からそれぞれ下方に突設され、該洋風便器４０のフロント側ボルト挿通孔４６，４６に挿通されたロッド状の固定用部材７８，７８と、該基板７６の左右からそれぞれ上方に突設された棒状の突起８０，８０とを有している。ベースプレート５２のフロント側の左右には、それぞれ該突起８０，８０が差し込まれる突起差込口８２，８２が穿設されている。各突起８０は該突起差込口８２に差し込まれてベースプレート５２の上面側に突出し得るものとなっており、その軸心方向の途中部分には、前記係止部材７０の係合部７０ａと係合可能な小径部８０ａが形成されている。
【００２９】
該固定用部材７８は、洋風便器４０の上方からフロント側ボルト挿通孔４６に差し込まれ、下端側が該ボルト挿通孔４６から下方に突出している筒体８４と、筒体８４の下端から該筒体８４の周方向に間隔をおいて平行に複数条のスリ割りを延設することにより形成された複数個（この実施の形態では４個）の舌片８６と、該筒体８４内に該筒体８４と同軸状に配置され、該筒体８４に対し回転可能に且つ軸心方向移動不能に保持された螺進用ボルト８８と、該螺進用ボルト８８に螺合しており、該螺進用ボルト８８の回転に伴って上方に螺進して舌片８６を押し開く楔体９０とを備えている。
【００３０】
該筒体８４は、この実施の形態では、基板７６と別体に構成されている。該基板７６には、筒体８４が嵌入された開口７６ａ（図６）が穿設されている。筒体８４は、上方からこの開口７６ａに嵌入され、その上端側周縁から側方に突設されたフランジ８４ａが該開口７６ａの周縁部に係止されている。なお、該フランジ８４ａは接着等の固着手段によって該開口７６ａの周縁部に固着されてもよい。
【００３１】
該筒体８４の軸心方向（上下方向）の途中部分の内周面からは、求心方向に内向きフランジ８４ｂが突設されている。この内向きフランジ８４ｂによって囲まれた孔８４ｃに螺進用ボルト８８が回転可能に挿通され、該螺進用ボルト８８の上端側に形成された拡径部８８ａが該内向きフランジ８４ｂに係止されている。この拡径部８８ａには、ドライバ等の工具が係合する係合部８８ｂ（図６）が設けられている。
【００３２】
楔体９０は、図７に示すように、下部側ほど径が大きくなる切頭円錐形状のものである。この楔体９０の軸心部に、螺進用ボルト８８が螺合した雌ねじ部９０ａが設けられている。螺進用ボルト８８が該雌ねじ部９０ａに深くねじ込まれるほど楔体９０が筒体８４の下部（舌辺８６同士の間）に深くめり込み、舌片８６が側方に大きく押し開かれるようになる。
【００３３】
なお、楔体９０の側周面には上下方向に延在したガイド溝９０ｂが刻設されており、このガイド溝９０ｂに、舌片８６の内周面から突設された凸条８６ａが係合している。これにより、楔体９０は、螺進用ボルト８８の回転に伴って該螺進用ボルト８８と共回りすることなく螺進する。
【００３４】
ベースプレート取付部材７４を洋風便器４０の後部上面に設置するに際しては、該洋風便器４０のフロント側ボルト挿通孔４６に上方から筒体８４を差し込み、次いで該筒体８４内に上方からドライバ等の工具を差し入れて螺進用ボルト８８を回転させ、楔体９０を上方に螺進させて舌片８６を押し開かせる。これにより、筒体８４がフロント側ボルト挿通孔４６から抜け出し不能となり、ベースプレート取付部材７４が洋風便器４０の後部上面に固定される。
【００３５】
このベースプレート取付部材７４の左右の突起８０，８０がそれぞれ左右の突起差込口８２，８２に差し込まれてベースプレート５２の上面側に突出し、各突起８０の小径部８０ａに係止部材７０の係合部７０ａが係合することにより、ベースプレート５２のフロント側が該ベースプレート取付部材７４に係着される。
【００３６】
以下に、このように構成されたタンクカバーユニットの設置構造においてタンクカバーユニット５０を洋風便器４０の後部上面に設置する手順について説明する。
【００３７】
まず、予めベースプレート取付部材７４を洋風便器４０の後部上面のフロント側に固定設置しておく。次いで、ベースプレート５２のリヤ側ボルト６６，６６が洋風便器４０のリヤ側ボルト挿通孔４４，４４に上方から差し込まれると共に、ベースプレート取付部材７４の突起８０，８０がベースプレート５２のフロント側の突起差込口８２，８２に差し込まれるようにベースプレート５２を洋風便器４０の後部上面に重ねる。
【００３８】
次に、リヤ側ボルト挿通孔４４，４４の下方に突出したボルト６６，６６の下端側にナット７２，７２を締め込む。この際、ナット７２，７２とボルト６６，６６とが共回りし、係止部材７０，７０がこのボルト６６，６６の回動に伴って旋回回動して突起８０と係合する。これにより、ベースプレート５２のフロント側がベースプレート取付部材７４に係着されると共に、ボルト６６，６６がそれ以上ナット７２，７２と共回りしなくなる。
【００３９】
その後、ナット７２，７２をボルト６６，６６にきつく締め込んでベースプレート５２のリヤ側を洋風便器４０の後部上面に固定することにより、タンクカバーユニット５０の設置が完了する。
【００４０】
このタンクカバーユニットの設置構造にあっては、洋風便器４０のフロント側ボルト挿通孔４６にロッド状の固定用部材７８を差し込んでこの固定用部材７８によりベースプレート取付部材７４を固定設置し、このベースプレート取付部材７４にベースプレート５２のフロント側を係着するため、ベースプレート５２のフロント側をしっかりと洋風便器４０に固定することができる。
【００４１】
この固定用部材７８の固定に際しては、フロント側ボルト挿通孔４６の下方から該固定用部材７８にナット締め等の作業を行うことが不要であるため、該フロント側ボルト挿通孔４６が便鉢４２に近接していても容易に固定用部材７８を洋風便器４０に固定することができる。
【００４２】
この固定用部材７８を該フロント側ボルト挿通孔４６に差し込み、楔体９０によってその下部の舌片７８を押し開かせることにより、確実に該固定用部材７８をフロント側ボルト挿通孔４６から不抜とすることができる。
【００４３】
上記の実施の形態は本発明の一例であり、本発明は図示の形態に限定されるものではない。
【００４４】
【発明の効果】
以上の通り、本発明によると、フロント側ボルト挿通孔が便鉢に近接している洋風便器においてもタンクカバーユニットを洋風便器にしっかりと固定することができるタンクカバーユニットの設置構造が提供される。
【図面の簡単な説明】
【図１】本発明の実施の形態に係るタンクカバーユニットの設置構造の分解斜視図である。
【図２】ベースプレート部分の斜視図である。
【図３】図２のＩＩＩ−ＩＩＩ線断面図である。
【図４】ベースプレート取付部材の斜視図である。
【図５】ベースプレート取付部材の側面図である。
【図６】図５のＶＩ−ＶＩ線断面図である。
【図７】ロッド状固定用部材の分解斜視図である。
【図８】従来のタンクカバーユニットの設置構造の一例を示す斜視図である。
【図９】従来のタンクカバーユニットの設置構造の別の一例を示す斜視図である。
【符号の説明】
４０  洋風便器
４２  便鉢
４４  リヤ側ボルト挿通孔
４６  フロント側ボルト挿通孔
５０  タンクカバーユニット
５２  ベースプレート
５４  タンクカバー
６６  リヤ側ボルト
７０  係止部材
７０ａ  係合部
７２  ナット
７４  ベースプレート取付部材
７６  基板
７８  固定用部材
８０  突起
８０ａ  小径部
８２  突起差込口
８４  筒体
８６  舌片
８８  螺進用ボルト
９０  楔体
【図１】
2004332451.tif 000003
【図２】
2004332451.tif 000004
【図３】
2004332451.tif 000005
【図４】
2004332451.tif 000006
【図５】
2004332451.tif 000007
【図６】
2004332451.tif 000008
【図７】
2004332451.tif 000009
【図８】
2004332451.tif 000010
【図９】
2004332451.tif 000011